(57)【特許請求の範囲】
【請求項１】
先端にペン先を形成した筆記部が、そのペン先を軸筒の先端開口を介して軸筒内外に移動できるように、上記軸筒に摺動可能に収容してなるキャップレス筆記具において、
上記先端開口を介して軸筒内外に移動するペン先の挿抜によって弾性的に開閉されるペン先挿抜用スリットを、その先端開口を閉塞するための開口閉塞帯に形成しているとともに、その開口閉塞帯を、ペン先挿抜用スリットを上記先端開口に対向させた状態で軸筒先端に配設し、軸筒の先端部には、開口閉塞帯を固定するための帯固定部材が内設され、開口閉塞帯と帯固定部材には、互いに係合する係合部がそれぞれ形成されていることを特徴とするキャップレス筆記具。
【請求項２】
開口閉塞帯は、合成ゴムやエラストマー等の弾性材によって形成されている請求項１記載のキャップレス筆記具。
【請求項３】
ペン先挿抜用スリットは、開口閉塞帯を、これの長さ方向に引張したときにのみ閉じるように形成されている請求項１又は２記載のキャップレス筆記具。
【請求項４】
ペン先挿抜用スリットに摺接するペン先の外周面部分に、そのペン先の移動方向に延びる凸部又は凹部を形成している請求項１，２又は３のいずれか１項に記載のキャップレス筆記具。
【発明の詳細な説明】
【０００１】
【発明の属する技術分野】
本発明は、ペン先のインクが乾燥しないようにしたキャップレス筆記具に関するものである。
【０００２】
【従来の技術】
従来、水性，油性のマーキングペン、水性ボールペンや万年筆等の各種筆記具においては、ペン先のインクが乾燥して筆記できなくなることを防止するために、軸筒の先端開口を密閉するためのキャップを設けている。
【０００３】
これに対して、上記キャップを着脱する煩雑さを回避するために、キャップを設けることなく、軸筒の先端開口を閉じる機構を設けた所謂キャップレス筆記具も数多く提案されている。
【０００４】
軸筒の先端開口を閉じる構成としては、実開昭５８−８９３９４号公報に記載されているキャップレス筆記具のように、軸筒内の先端部に配置された先軸先端部にペン先部を密閉する密閉部材を密嵌固定して、先軸の動作に伴ない密嵌部材の先端部を開閉するようにしたもの、また、特開平１−２８１９９９号公報に記載されているキャップレス筆記具のように、筆記部のペン先が収容されるシール室の先端側を開閉するシール手段を、軸筒の先端内部に形成したもの等がある。
【０００５】
【発明が解決しようとする課題】
しかしながら、上記従来のキャップレス筆記具では、いずれも狭い軸筒に先端開口を閉じるための複雑な機構を配設しているために、組立て作業の複雑化と高コスト化の要因となっている。
【０００６】
そこで本発明は、安価で簡易な構成によって軸筒の先端開口を閉塞できるとともに、組立て作業を容易にしかも短時間で行なえるキャップレス筆記具の提供を目的とするものである。
【０００７】
【課題を解決するための手段】
本発明は、先端にペン先を形成した筆記部が、そのペン先を軸筒の先端開口を介して軸筒内外に移動できるように、上記軸筒に摺動可能に収容してなるキャップレス筆記具において、上記先端開口を介して軸筒内外に移動するペン先の挿抜によって弾性的に開閉されるペン先挿抜用スリットを、その先端開口を閉塞するための開口閉塞帯に形成しているとともに、その開口閉塞帯を、ペン先挿抜用スリットを上記先端開口に対向させて軸筒先端に配設した構成になっている。
これにより、ペン先を軸筒内に移動させているときには、その軸筒の先端開口を開口閉塞帯により閉じておくことができるとともに、ペン先を軸筒外に移動させるときには、ペン先挿抜用スリットはこれにペン先を挿入されることにより開かれるので、開口閉塞帯が邪魔になることがない。
【０００８】
上記においては、開口閉塞帯を、ゴム等の弾性材によって一体に形成した構成が好ましい。
【０００９】
上記においては、軸筒の先端部に、開口閉塞帯を固定するための帯固定部材を内設すると、開口閉塞帯の軸筒先端への取り付けを容易に行なえる。
【００１０】
上記においては、開口閉塞帯と帯固定用部材に、互いに係合する係合部がそれぞれ形成すると、開口閉塞帯の軸筒先端への取り付けをより容易に行なえる。
【００１１】
上記においては、ペン先挿抜用スリットは、開口閉塞帯を、これの長さ方向に引張したときにのみ閉じるように形成することができる。
【００１２】
上記においては、開口閉塞帯を、軸筒の先端部に内設するための筒形支持体に一体に形成することができる。
【００１３】
上記においては、ペン先挿抜用スリットに摺接するペン先の外周面部分に、そのペン先の移動方向に延びる凸部又は凹部を形成すると、ペン先挿抜用スリットとの摺接抵抗を低減できる。
【００１４】
【発明の実施の形態】
以下、本発明の実施の形態を図面を参照して詳細に説明する。
図１は本発明の一実施形態に係るキャップレス筆記具を示しており、ペン先を軸筒内に移動させた状態の断面図、図２はそのペン先を軸筒外に移動させた状態の断面図、図３は、帯固定部材を示しており、（Ａ）はその側面図、（Ｂ）はその正面図、図４は開口閉塞帯の正面図である。
【００１５】
本発明の一実施形態に係るキャップレス筆記具であるマーカーペンＡは、図１，２に示すように、軸筒１、帯固定部材２、開口閉塞帯３及び筆記部４を主要の構成としているものである。
【００１６】
軸筒１は、これの先端部の所要範囲を、先端に向けて径細にした略円筒形に形成されており、その先端面には、詳細を後述する筆記部４に形成したペン先５を入出させられる大きさの先端開口１ａを、また、後端面には、先端開口１ａよりも大きな後端開口１ｂを形成している。
【００１７】
軸筒１の先端部には、開口閉塞帯３とともに、これを係合固定した帯固定部材２が内設されている。
帯固定部材２は、図３にも示すように、上記軸筒１の先端部内周面1ｃに当接する略円錐台形に形成されているとともに、これの先端にはペン先５を入出させられる大きさの開口２ａが、また、後端には、開口２ａよりも大きな開口２ｂが形成されている。
【００１８】
帯固定部材２の外周面には開口閉塞帯３を係合するための一対の帯係合溝６，６が形成されており、それらは、開口２ａを中心とする一定幅の溝部６ａ，６ａの終端に、詳細を後述する開口閉塞帯３を係合するための係合部６ｂ，６ｂを形成してなるものである。
係合部６ｂ，６ｂは、溝部６ａ，６ａの幅よりも大きな外径にした円形凹部６ｃ，６ｃの中心に、同じく円形の係合凸部６ｄ，６ｄ（いずれも一方は図示しない）を形成したものである。
【００１９】
開口閉塞帯３は、合成ゴムやエラストマー等の弾性材を一体成型したものであり、上記軸筒１の先端開口１ａの直径よりもやや広い幅にした帯状部３ａの中央に、ペン先挿抜用スリット３ｂを、また、上記係合部６ｂ，６ｂに係合するリング形の係合部３ｃ，３ｃを両端に形成したものである。
【００２０】
ペン先挿抜用スリット３ｂは、上記合成ゴムやエラストマー等の弾性材の弾性力を利用して、ペン先５の挿抜によって開閉するように形成されているものであり、本実施形態においては、開口閉塞帯３に、これの長さ方向に引張力を加えない状態においても閉じた状態になるようにして形成している。なお、開口閉塞帯３に、これの長さ方向に引張力を加えたときにも、ペン先挿抜用スリット３ｂは閉じた状態になっている。
【００２１】
開口閉塞帯３の帯状部３ａを、帯固定部材２の溝部６ａ，６ａに係合しながら、その開口閉塞帯３の係合部３ｃ，３ｃを、帯固定部材２の係合部６ｂ，６ｂに係止する。これにより、開口閉塞帯３は、ペン先挿抜用スリット３ｂが軸筒１の先端開口１ａに対向し、かつ、長さ方向に引張力を加えられた状態で帯固定部材２に係合装着される。
【００２２】
そして、この帯固定部材２を、上記軸筒１の先端部内周面に当接させた状態で固定することにより、ペン先挿抜用スリット３ｂが先端開口１ａに対向した状態で、かつ、軸筒１の先端部内周面１と帯固定部材２との間に開口閉塞帯３が挟持された状態で固着される。
【００２３】
前記筆記部４は、図１，２に示すように、先端部４ａ′側を小径にしかつ後端部４ａ″側を大径にしたインクタンク部４ａの先端に、ペン先５を配設したものであり、それは、ペン先５を上記軸筒１の先端開口１ａから外部に突出させた筆記位置（イ）と、そのペン先５を軸筒１内に収納した収納位置（ロ）との間で摺動自在に支持されているとともに、上記軸筒１内の先端部に固定された帯固定部材２と、インクタンク部４ａの段差部４ｂとの間に介装されるコイルスプリング７によって、軸筒１の後端部側に向けて常時付勢されている。
【００２４】
ペン先５は、これの後端部から先端部に向けて次第に細径となる先細形状に形成されており、本実施形態においては、外周面に断面略半円形の凸部５ａ…を等角度間隔で形成している。これにより、上記ペン先挿抜用スリット３ｂに対して、ペン先５を挿抜する際の摺接抵抗を低減させている。
【００２５】
次に、本発明の一実施形態に係るキャップレス筆記具Ａの作動状態について説明する。
まず、キャップレス筆記具Ａを使用しないときには、図１に示すように、ペン先５が収納位置（ロ）に位置するように筆記部４を移動させておく。
【００２６】
収納位置（ロ）では、ペン先５が軸筒１内に収納された状態になっているとともに、軸筒１の先端開口１ａは開口閉塞帯３によって閉塞され、これにより、ペン先５のインクの乾燥を防止し若しくは最小限に止めることができる。
【００２７】
次に、前記キャップレス筆記具Ａを使用する場合、図２に示すように、ペン先５が筆記位置（イ）に位置するように筆記部４を移動させる。
ペン先５が筆記位置（イ）に向けて移動すると、その移動途中において、ペン先５は、係合部材３のペン先挿抜用スリット３ｂに挿入され、この挿入によって、ペン先挿抜用スリット３ｂは弾性的に開かれた状態になる。その後、ペン先５は、軸筒１の先端開口１ａから外部に突出した状態になる。
【００２８】
筆記後、ペン先５を収納位置（ロ）に向けて移動させることにより、ペン先５がペン先挿抜用スリット３ｂから抜脱されるのに従って、ペン先挿抜用スリット３ｂが弾性的に閉じ、軸筒１の先端開口１ａは再度閉塞された状態になる。
【００２９】
なお、本発明は前述した実施形態に限るものではなく、その要旨の範囲内で様々な変形実施が可能である。
図６に、開口閉塞帯の他例を示す。
その開口閉塞帯８は、前記開口閉塞帯３と同じく、合成ゴムやエラストマー等の弾性材を一体形成したものであり、上記先端開口１ａの直径よりもやや広い幅の帯状部８ａの中央にペン先挿抜用スリット８ｂを、また、両端にリング形の係合部８ｃ，８ｃを形成したものである。
【００３０】
ペン先挿抜用スリット８ｂは、開口閉塞帯８を、これの長さ方向に引張したときにのみ閉じるように形成されているものである。換言すると、ペン先挿抜用スリット８ｂは、開口閉塞帯８に引張力を加えない状態において、中央部分から両端部に向けて次第に幅狭になる形状に形成されているものである。
この開口閉塞帯８を、前記帯固定部材２に装着するときには、それの長さ方向にペン先挿抜用スリット８ｂが閉じる程度の引張力を加えることにより、ペン先挿抜用スリット８ｂが閉じた状態にしておき、その帯固定部材２に対し前記の開口閉塞帯３の場合と同様にして装着する。
【００３１】
図７に、軸筒の先端部に内設するための筒形支持体に、開口閉塞帯を一体に形成してなる開口閉塞部材を示す。
その開口閉塞部材９は、円形の筒形支持体９ａの一側縁部９ａ′の対向位置に、上記の開口閉塞帯３のものと同じペン先挿抜スリット９ｂを形成した一定幅の開口閉塞帯９ｃを形成したものである。
このような開口閉塞部材９を使用した場合には、上記帯固定部材２を使用することなく、その開口閉塞部材９を軸筒１の先端部に直接内設すればよい。これにより、部品点数をさらに低減できるとともに、取付け作業も容易に行なえる。
【００３２】
上記においては、ペン先挿抜用スリットに摺接するペン先の外周面部分に、そのペン先の移動方向に延びる凸部を形成した例について説明したが、ペン先挿抜用スリットに摺接するペン先の外周面部分に、そのペン先の移動方向に延びる凹部を形成してもよい。
【００３３】
上記においては、開口閉塞帯に係合部を形成したものを例示したが、そのような係合部を形成することなく、開口閉塞帯を軸筒の内周面又は外周面に接着剤等で直接接着するようにしてもよい。
【００３４】
【発明の効果】
請求項１〜４記載の発明によれば、ペン先を軸筒内に移動させているときには、軸筒の先端開口を開口閉塞帯により閉じておくことができるとともに、ペン先を軸筒外に移動させるときには、ペン先挿抜用スリットにペン先が挿入されることにより開かれるので、安価で簡易な構成によって軸筒の先端開口を閉塞でき、また、軸筒の先端部に、開口閉塞帯を固定するための帯固定部材を内設し、開口閉塞帯と帯固定用部材に、互いに係合する係合部を形成しているので、開口閉塞帯の取り付けを容易に行なうことができるとともに、組立て作業を容易にしかも短時間で行なうことができる。
【００３５】
請求項１〜４記載の発明で得られる共通の効果に加え、各請求項記載の発明によれば次の効果を得ることができる。
請求項２記載の発明によれば、開口閉塞帯を、ゴム等の弾性材によって一体形成しているので、きわめて簡易な構成にすることができる。
【００３８】
請求項３記載の発明によれば、ペン先挿抜用スリットは、開口閉塞帯を、これの長さ方向に引張したときにのみ閉じるように形成されているので、開口閉塞帯を一度に形成することができる。
【００３９】
請求項４記載の発明によれば、ペン先挿抜用スリットに摺接するペン先の外周面部分に、そのペン先の移動方向に延びる凸部又は凹部を形成しているので、摺接抵抗を低減させることができ、筆記部の移動を弱い力で行なえる。
【図面の簡単な説明】
【図１】本発明の一実施形態に係るキャップレス筆記具を示しており、ペン先を軸筒内に移動させた状態の断面図である。
【図２】同上のペン先を軸筒外に移動させた状態の断面図である。
【図３】帯固定部材を示しており、（Ａ）はその側面図、（Ｂ）はその正面図である。
【図４】開口閉塞帯の正面図である。
【図５】ペン先の断面図である。
【図６】開口閉塞帯の他例を示す正面図である。
【図７】開口閉塞帯を一体に成型してなる開口閉塞部材の斜視図である。
【符号の説明】
１              軸筒
１ａ            先端開口
２              帯固定部材
３,８,９ｃ      開口閉塞帯
３ｂ,８ｂ,９ｂ  ペン先挿抜用スリット
３ｃ,６ｂ,８ｃ  係合部
４              筆記部
５              ペン先
５ａ            凸部
【図１】
0004666795.tif 000002
【図２】
0004666795.tif 000003
【図３】
0004666795.tif 000004
【図４】
0004666795.tif 000005
【図５】
0004666795.tif 000006
【図６】
0004666795.tif 000007
【図７】
0004666795.tif 000008